【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
複数のパーティションを有するマクロブロックを符号化する方法であって、
前記複数のパーティションの少なくとも１つをインター符号化するステップと、
前記複数のパーティションの別の少なくとも１つをイントラ符号化するステップと、
を含み、
前記イントラ符号化するステップが、ゼロの重み付け係数に対応する基準画像インデックスを供給するステップを含む、前記マクロブロックを符号化する方法。
【請求項２】
前記マクロブロックが、共同ビデオ・チーム（ＪＶＴ）規格に適合するビデオ・データから成る、請求項１記載のマクロブロックを符号化する方法。
【請求項３】
前記マクロブロックが、非イントラ・マクロブロック・タイプから成る、請求項１記載のマクロブロックを符号化する方法。
【請求項４】
前記イントラ符号化するステップが、ＪＶＴ規格の主要プロファイルと拡張プロファイルの少なくとも１つから生成される重み付け予測ツールにより、ゼロの重み付け係数を用いて、重み付け予測符号化モード内で行われる非予測イントラ符号化を含む、請求項１記載のマクロブロックを符号化する方法。
【請求項５】
非予測イントラ符号化されるパーティションについて、ゼロ差分動きベクトルを符号化するステップを含む、請求項４記載のマクロブロックを符号化する方法。
【請求項６】
前記複数のパーティションのうちの前記インター符号化された少なくとも１つが、非ゼロ値の重み付け係数に対応する基準画像インデックスを有する、請求項１記載のマクロブロックを符号化する方法。
【請求項７】
各符号化方法についてのコスト測定値に応答して、パーティションのインター符号化と非予測イントラ符号化のどちらにするかを決めるステップを含む、請求項６記載のマクロブロックを符号化する方法。
【請求項８】
基準画像リオーダリング・コマンドを用いて、複数の基準画像インデックスを特定の１つの基準画像記憶部に対応付けるステップと、
前記複数の基準画像インデックスの１つにゼロの重みを割り当て、それ以外の基準画像インデックスに非ゼロの重みを割り当てるステップと、
を含む、請求項１記載のマクロブロックを符号化する方法。
【請求項９】
少なくとも１つのパーティションを有するマクロブロックを符号化する方法であって、
ゼロの重み付け係数に対応する基準画像インデックスを供給することにより、前記少なくとも１つのパーティションを非予測イントラ符号化するステップを含む、前記マクロブロックを符号化する方法。
【請求項１０】
前記非予測イントラ符号化するステップが、ＪＶＴ規格の主要プロファイルと拡張プロファイルの少なくとも１つから提供される重み付け予測ツールにより、ゼロの重み付け係数を用いて、重み付け予測符号化モード内で行われる、請求項９記載のマクロブロックを符号化する方法。
【請求項１１】
複数のパーティションを有するマクロブロックのインター／イントラ混在符号化用のビデオ符号器であって、
基準画像重み付け付与装置と、
前記基準画像重み付け付与装置と信号通信可能に接続されており、インター／イントラ混在符号化されたパーティションの各々に対応する重み付け係数を割り当てる基準画像重み付け係数ユニットと、
を含む、前記マクロブロックのインター／イントラ混在符号化用のビデオ符号器。
【請求項１２】
前記基準画像重み付け付与装置と信号通信可能に接続されており、動き補償されインター符号化されたパーティションと動き補償されイントラ符号化されたパーティションの少なくともそれぞれ各１つを供給する動き補償ユニットを含む、請求項１１記載のマクロブロックのインター／イントラ混在符号化用のビデオ符号器。
【請求項１３】
前記基準画像重み付け係数ユニットと前記動き補償ユニットとに信号通信可能に接続されており、動き補償されインター符号化されるパーティションと動き補償されイントラ符号化されるパーティションの少なくともそれぞれ各１つを記憶する基準画像記憶部を含む、請求項１２記載のマクロブロックのインター／イントラ混在符号化用のビデオ符号器。
【請求項１４】
前記基準画像重み付け付与装置が、前記基準画像重み付け係数ユニットにより選択された重み付け係数を、前記動き補償されインター符号化されたパーティションと前記動き補償されイントラ符号化されたパーティションのうちの少なくとも１つに適用する、請求項１２記載のマクロブロックのインター／イントラ混在符号化用のビデオ符号器。
【請求項１５】
双方向予測画像予測子を使用できるビデオ符号器であって、前記動き補償されインター符号化されたパーティションと前記動き補償されイントラ符号化されたパーティションのうちの少なくとも１つの重み付けられたものから、第１と第２の予測子を生成する予測手段を含む、請求項１４記載のマクロブロックのインター／イントラ混在符号化用のビデオ符号器。
【請求項１６】
マクロブロックの少なくとも１つのパーティションをインター符号化するインター符号化手段と、
前記マクロブロックの別の少なくとも１つのパーティションをイントラ符号化するイントラ符号化手段と、
を含む、請求項１１記載のマクロブロックのインター／イントラ混在符号化用のビデオ符号器。
【請求項１７】
前記マクロブロックが、共同ビデオ・チーム（ＪＶＴ）規格に適合するビデオ・データから成る、請求項１６記載のマクロブロックのインター／イントラ混在符号化用のビデオ符号器。
【請求項１８】
前記マクロブロックが、非イントラ・マクロブロック・タイプから成る、請求項１６記載のマクロブロックのインター／イントラ混在符号化用のビデオ符号器。
【請求項１９】
前記イントラ符号化手段が、ゼロの重み付け係数に対応する基準画像インデックスを供給するインデックス供給手段を含む、請求項１６記載のマクロブロックのインター／イントラ混在符号化用のビデオ符号器。
【請求項２０】
非予測イントラ符号化されるパーティションについて、ゼロ差分動きベクトルを符号化する非予測イントラ符号化手段を含む、請求項１６記載のマクロブロックのインター／イントラ混在符号化用のビデオ符号器。
【請求項２１】
前記複数のパーティションのうちの前記インター符号化された少なくとも１つが、非ゼロ値の重み付け係数に対応する基準画像インデックスを有する、請求項１６記載のマクロブロックのインター／イントラ混在符号化用のビデオ符号器。
【請求項２２】
各符号化方法についてのコスト測定値に応答して、パーティションのインター符号化と非予測イントラ符号化のどちらにするかを決める決定手段を含む、請求項２１記載のマクロブロックのインター／イントラ混在符号化用のビデオ符号器。
【請求項２３】
基準画像リオーダリング・コマンドを用いて、複数の基準画像インデックスを特定の１つの基準画像記憶部に対応付ける基準画像リオーダリング手段と、
ゼロの重みを前記複数の基準画像インデックスの１つに割り当て、非ゼロの重みを他の少なくとも１つの基準画像インデックスに割り当てる重み付け手段と、
を含む、請求項１６記載のマクロブロックのインター／イントラ混在符号化用のビデオ符号器。
【請求項２４】
少なくとも１つのパーティションを有するマクロブロックの非予測イントラ符号化用のビデオ符号器であって、
基準画像重み付け付与装置と、
前記基準画像重み付け付与装置と信号通信可能に接続されており、少なくとも１つの非予測イントラ符号化されたパーティションに対応する重み付け係数を割り当てる基準画像重み付け係数ユニットと、
を含む、前記マクロブロックの非予測イントラ符号化用のビデオ符号器。
【請求項２５】
ゼロの重み付け係数に対応する基準画像インデックスを供給することにより、少なくとも１つのパーティションを非予測イントラ符号化する非予測イントラ符号化手段を含む、請求項２４記載のマクロブロックの非予測イントラ符号化用のビデオ符号器。
【請求項２６】
前記非予測イントラ符号化が、ＪＶＴ規格の主要プロファイルと拡張プロファイルの少なくとも１つから提供される重み付け予測ツールにより、ゼロの重み付け係数を用いて、重み付け予測符号化モード内で行われる、請求項２５記載のマクロブロックの非予測イントラ符号化用のビデオ符号器。
【請求項２７】
複数のパーティションを有するマクロブロックを符号化する装置であって、
前記複数のパーティションの少なくとも１つをインター符号化する手段と、
前記複数のパーティションの別の少なくとも１つをイントラ符号化する手段と、を含み、
前記イントラ符号化する手段が、ゼロの重み付け係数に対応する基準画像インデックスを使用する、前記マクロブロックを符号化する装置。